(57)【要約】      （修正有）【課題】所望の大きさあるいは異形形状の防水床であっても、高床剛性にて構築することができる防水床を提供する。【解決手段】コンクリート床上に、複数の脚体３によって支承されて床材２が設置されている。脚体３は、この床材２の上面が所定の排水勾配となるように床材２を支承している。脚体３は板状のものであり、板面を上下方向として、該排水勾配方向と直交方向に延在している。床材２の下面には、その排水勾配方向に間隔をあけて、該排水勾配方向と直交方向に延在する複数の溝４が形成されており、これらの溝４に各脚体３の上端が嵌合している。【選択図】図３
2006144484.tif 000002
【特許請求の範囲】
【請求項１】
床材と、該床材を支承する複数の板状の脚体とを備え、該床材の上面に排水勾配を付けてなる防水床。
【請求項２】
請求項１において、前記床材は板状であり、
該床材の下面に溝が設けられ、該溝に前記脚体の上端が嵌合していることを特徴とする防水床。
【発明の詳細な説明】
【技術分野】
【０００１】
本発明は浴室等の床を構成する防水床に係り、特に床面の剛性が高い防水床に関する。
【背景技術】
【０００２】
従来、浴室の床はＦＲＰ製の防水パンで構成されることが多い。この防水パンは、特開平１０−４６６４１号公報に記載されるように、足ボルトや支持架台によって支承される。
【特許文献１】特開平１０−４６６４１号公報
【発明の開示】
【発明が解決しようとする課題】
【０００３】
防水パンは規格寸法であり、所望の大きさあるいは異形形状の防水床を構築するのには不向きである。また、足ボルトや支持架台による支承構造では、床面の剛性が不足することがあった。
【０００４】
本発明は、所望の大きさあるいは異形形状の防水床であっても、高床剛性にて構築することができる防水床を提供することを目的とする。
【課題を解決するための手段】
【０００５】
本発明（請求項１）の防水床は、床材と、該床材を支承する複数の板状の脚体とを備え、該床材の上面に排水勾配を付けてなるものである。
【０００６】
請求項２の防水床は、請求項１において、前記床材は板状であり、該床材の下面に溝が設けられ、該溝に前記脚体の上端が嵌合していることを特徴とするものである。
【発明の効果】
【０００７】
本発明の防水床は、床材を板状の脚体によって支持するようにしたものである。この床材は、規格寸法の防水パンと異なり、大きさ及び寸法に制約がなく、所望の大きさ及び形状とすることができる。従って、本発明の防水床によると、所望大きさあるいは異形形状の床面であっても構築することができる。また、本発明では、この床材を板状の脚体によって支持しているため、床材の剛性が高いものとなる。
【０００８】
本発明において、床材を板状とし、この床材の下面に溝を設け、該溝に脚体の上端を嵌合させることにより、脚体の床材への取付強度及び取付剛性が向上する。
【発明を実施するための最良の形態】
【０００９】
以下、図面を参照して実施の形態について説明する。図１は実施の形態に係る防水床の概略的な側面図、図２は図１のII部分の拡大断面図、図３は図１の防水床の斜視図である。図４は別の実施の形態に係る防水床の脚体を示す斜視図、図５は異なる実施の形態に係る防水床の斜視図である。
【００１０】
図１の通り、コンクリート床１上に、複数の脚体３によって支承されて床材２が設置されている。この実施の形態では、該床材２は、互いに平行な上面及び下面を有するフラットな板状のものである。該脚体３は、この床材２の上面が所定の排水勾配となるように床材２を支承している。この実施の形態では、該脚体３は、床材２の排水勾配方向に間隔をあけて配列されている。なお、当然ながら、各脚体３のコンクリート床１の上面からの起立高さは、床材２の排水勾配に従って水上側のものほど高くなっている。
【００１１】
図３の通り、脚体３は板状のものであり、それぞれ、板面を上下方向として、該排水勾配方向と直交方向に延在している。床材２の下面には、該排水勾配方向に間隔をあけて、該排水勾配方向と直交方向に延在する複数の溝４が形成されており、これらの溝４に各脚体３の上端が嵌合している。
【００１２】
この実施の形態では、各溝４は、床材２の下面に沿って、互いに脚体３の厚さ分だけ離隔して該排水勾配方向と直交方向に延在した１対のレール状部材５，５同士の間の隙間である。第２図に拡大して示すように、各レール状部材５は、床材２の下面に延設された凹条（符号略）に上端部が嵌合しており、接着やビス留め等の固着手段により床材２に固着されている。
【００１３】
各脚体３は、上端部がこの１対のレール状部材５，５同士の間の溝４に差し込まれると共に、これらのレール状部材５，５及び脚体３の上端部を貫くようにボルト６が打ち込まれ、このボルト６にナット７が締め込まれることにより、床材２と結合されている。
【００１４】
これらの床材２、脚体３及びレール状部材５の材質に特に制限はないが、それぞれ金属やＦＲＰ、プラスチックボードなどの耐腐食性の高い材質であることが好ましい。
【００１５】
図示はしないが、床材２の上に例えば防水シートが敷設され、その上にセメント系等のタイル張り下地板が敷設され、この下地板の上にタイル張り等の仕上げ処理が施されて防水床が構築される。なお、この仕上げ処理は一例であり、これ以外であってもよい。
【００１６】
本発明においては、床材２の防水層の形成方法は、上記の如き床材２上への防水シートの敷設や、塗膜防水、ＦＲＰ防水などの、常温で施工可能な方法であることが好ましい。ただし、これに限定されるものではない。
【００１７】
この防水床は、床材２を板状の脚体３によって支持するようにしたものであるため、床材２の大きさ、寸法に制約がなく、所望の大きさあるいは異形形状の床面であっても構築することができる。また、このように床材２を板状の脚体３によって支持することにより、床材２の剛性が高いものとなる。
【００１８】
この実施の形態では、床材２を板状とし、この床材２の下面に溝４を設け、該溝４に脚体３の上端を嵌合させているので、脚体３の床材２への取付強度及び取付剛性が非常に高い。
【００１９】
なお、本発明においては、第３図の脚体３Ａのように、脚体下縁部に切り欠き８を設けて床材２の下側の排水を促進させたり、床材２の下に排水管（図示略）等を配設しうるよう構成してもよい。ただし、この切り欠き８とは別に、各脚材３Ａに、配管等の配設用の開口（図示略）を設けてもよい。
【００２０】
上記の第１〜３図の実施の形態では、脚体３は、床材２の排水勾配方向と直交方向に延設されているが、第５図の脚体３Ｂのように、該排水勾配方向に延設されてもよい。
【００２１】
この脚体３Ｂは、上辺が床材２の排水勾配に従って水上側ほど高位となるように傾斜した略台形板状のものである。なお、この実施の形態でも、該脚体３Ｂの下縁部には切り欠き８が設けられている。
【００２２】
この実施の形態では、床材２の下面に、該排水勾配方向に延在する複数の溝４Ｂが設けられ、この溝４Ｂに各脚体３Ｂの上部が嵌合している。なお、この実施の形態でも、各溝４は、床材２の下面に沿って、互いに脚体３Ｂの厚さ分だけ離隔して該排水勾配に延在した１対のレール状部材５Ｂ，５Ｂ同士の間の隙間である。各脚体３Ｂは、このレール状部材５Ｂ，５Ｂ同士の間の溝４Ｂに上端部が差し込まれると共に、これらのレール状部材５Ｂ，５Ｂと脚体３Ｂの上端部とを貫くようにボルト（図示略）が打ち込まれ、このボルトにナット（図示略）が締め込まれることにより、床材２と結合されている。
【００２３】
上記の各実施の形態では、床材として、上面及び下面が互いに平行な板状のものを用い、水上側ほど高さが増す脚体でこの床材を支承することにより、該床材上面が所定の排水勾配となるよう構成しているが、これに限定されるものではない。第６図は床材の別の構成例を示す防水床の概略的な側面図である。
【００２４】
第６図の防水床においては、床材２Ａは、排水勾配方向に沿う縦断面形状が台形であり、排水勾配を有した上面と、水平な下面とを有している。この実施の形態では、該床材２Ａは、該排水勾配方向に間隔をあけて配列された、いずれも同じ起立高さの複数の脚体３によって支承されている。この防水床のその他の構成は、第１〜３図と同様となっている。
【００２５】
上記の各実施の形態はいずれも本発明の一例であり、本発明は上記の各実施の形態に限定されるものではない。
【図面の簡単な説明】
【００２６】
【図１】実施の形態に係る防水床の概略的な側面図である。
【図２】図１のII部分の拡大断面図である。
【図３】図１の防水床の斜視図である。
【図４】別の実施の形態に係る防水床の脚体を示す斜視図である。
【図５】さらに別の実施の形態に係る防水床の斜視図である。
【図６】異なる実施の形態に係る防水床の概略的な側面図である。
【符号の説明】
【００２７】
１  コンクリート床
２，２Ａ  床材
３，３Ａ，３Ｂ  脚材
４，４Ｂ  溝
５，５Ｂ  レール状部材
６  ボルト
７  ナット
８  切り欠き
【図１】
2006144484.tif 000003
【図２】
2006144484.tif 000004
【図３】
2006144484.tif 000005
【図４】
2006144484.tif 000006
【図５】
2006144484.tif 000007
【図６】
2006144484.tif 000008